(57)【特許請求の範囲】
【請求項１】
化粧剤を含み、１０4ｏｈｍ  ｃｍ未満の抵抗率を有する化粧品組成物を身体に静電噴霧することを含む身体に化粧剤を送出する方法であり、静電噴霧の平均液滴サイズが５０〜４００μｍの範囲である前記方法。
【請求項２】
（ａ）（ｉ）前記化粧剤を含み、約１０4ｏｈｍ  ｃｍ未満の抵抗率を有する静電噴霧性化粧品組成物を含有するタンク；
（ｉｉ）該タンクと連通する少なくとも一つの送出手段；
（ｉｉｉ）電源から給電される高電圧発生機；
（ｉｖ）該発生機から送出手段に高電圧を選択的に印加するための調節手段
を含む器具を用意する段階、及び
（ｂ）前記調節手段を作動させて、送出手段から身体の標的部位に化粧品組成物を静電噴霧する段階
からなる請求項１に記載の方法。
【請求項３】
化粧品組成物が１種以上の電荷種を含む請求項１又は２に記載の方法。
【請求項４】
電荷種又は荷電種の中の少なくとも１種が前記化粧剤である請求項３に記載の方法。
【請求項５】
電荷化粧剤が、発汗防止活性剤、抗微生物／抗菌剤、イオン性ふけ止め剤、イオン性ポリマー、慣用の個人向け製品に用いられる他の電荷種、上記薬剤のいずれかの混合物から選択される請求項４に記載の方法。
【請求項６】
電荷種又は電荷種の中の少なくとも１種が前記化粧剤以外のものである請求項３に記載の方法。
【請求項７】
組成物が該組成物に前記１０4ｏｈｍ  ｃｍ未満の抵抗率を付与するに十分な量の前記電荷種を含む請求項３から６のいずれか一項に記載の方法。
【請求項８】
電荷種又は電荷種の中の少なくとも１種が塩である請求項３から７のいずれか一項に記載の方法。
【請求項９】
化粧品組成物が少なくとも８０重量％の１種以上の溶媒を含む請求項１から８のいずれか一項に記載の方法。
【請求項１０】
化粧品組成物が、水中の無機又は有機塩、水／エタノール混合物中の無機又は有機塩、発汗防止剤溶液、エタノール及び／又は水中のポリマー、ふけ止め又は育毛組成物、酵素溶液、殺菌溶液、上記の系のいずれかの混合物からなる群のいずれかの系を含む請求項１から９のいずれか一項に記載の方法。
【請求項１１】
平均液滴サイズが５０〜２００μｍの範囲である請求項１から１０のいずれか一項に記載の方法。
【請求項１２】
（ａ）化粧剤を含み、１０4ｏｈｍ  ｃｍ未満の抵抗率を有する静電噴霧性化粧品組成物を含有するタンク；
（ｂ）該タンクと連通する少なくとも一つの送出手段；
（ｃ）電源から給電される高電圧発生機；
（ｄ）該発生機から送出手段に選択的に高電圧を印加して、送出手段から化粧品組成物を５０〜４００μｍの範囲の平均液滴サイズで静電噴霧するための調節手段
を含む身体に化粧剤を送出するための器具。
【請求項１３】
身体に送出するための化粧剤を含み、１０4ｏｈｍ  ｃｍ未満の抵抗率を有する化粧品組成物の液滴からなる静電的に帯電した噴霧であり、平均液滴サイズが５０〜４００μｍの範囲である前記噴霧。
【発明の詳細な説明】
発明の分野
本発明は、身体の種々の部分に化粧剤を送出するためのシステム、及び特に静電噴霧原理を用いて皮膚又は毛髪に化粧剤を送出するための方法及び器具に関する。本発明は特に化粧剤を静電的に送出することを可能にする低抵抗率を有する静電噴霧性組成物に関する。
発明の背景
一般に、身体の種々の部分に適用するための化粧剤は、特に化粧剤が大きな又は非局所性の標的領域、例えば、皮膚又は毛髪に適用される場合、噴霧によって送出されることが多い。しばしば単に「エアゾール」と称されるそのような噴霧方式は、送出される製品の噴霧を生成する加圧式噴射剤含有缶又は手動操作可能なポンプ作動式噴霧装置に依存しており、噴霧は一般に、しばしば個人向け製品配合物に慣用的に用いられている１種以上の他の添加物を含む、１種以上の溶媒又はビヒクル、例えば水及び／若しくはエタノール中の化粧品活性系溶液又は混合物である。
これらの公知のエアゾール送出システムは効率が悪くしかも化粧品原材料を不経済に使用する。さらに該システムはしばしば、かさばっていて、重く、高価であり、使用の際のノイズが多い。これら公知のエアゾール送出システムに係わる他の問題は、それらが一般にあまり感覚的魅力がないこと、特にそれらが冷たく、湿った噴霧を生成するということにある。さらに、これらの噴霧を用いても、製品のほんの一部が目標部位に捕捉されるだけであり、従って、化粧品活性系材料及び付加成分（存在する場合には）が大気中に失われるために、むだが多く、また望ましくない大気様の霧を発生させ、使用者の眼又は身体の他の部分を汚染する結果を招き、使用者に呼吸性又は他の健康上の問題を提起する可能性がある。
慣用のエアゾール噴霧は噴射剤として揮発性有機化合物を用いることが多く、該化合物は今や、環境にやさしくなく、健康に有害であるおそれがあるとの認識がひろくゆきわたり、世界中の多くの国々で実際に法的な規制を受けるようになっている。慣用噴霧はさらに、所定の標的、例えば、毛髪繊維表面の全領域、皮膚表面（顕微鏡で見れば平坦でなく非常にでこぼこした面を有している）の全領域、又は通常、若しくはなんらかの障害の結果として、届きにくい体表面の領域を100％カバーし得ないという難点がある。
本明細書にその開示が参考文献として組み込まれている本出願人による同時係属出願の欧州特許出願公開EP-A-0523964号には、身体に化粧剤を送出するための新規なシステムが開示されており、該システムは身体に化粧剤を静電噴霧することを含む。開示されている器具及び方法では、化粧剤は静電噴霧性組成物の形態でタンクに入って提供される。少なくとも１個の送出手段がタンクと連通しており、該手段には、そのノズル部から組成物を静電噴霧するようにタンク内部の組成物に電荷を与えるべく適当な電源から高電圧が印加される。これらの新規なシステムを用いて皮膚又は毛髪に送出される化粧剤により、有利で実用的な成果、特に360°のラップアラウンド、高い製品捕捉率、静かで不可視の非湿潤性噴霧、及びより効率的な化粧剤原材料の使用が可能になる。
該同時継続出願の提案によれば、送出される１種以上の化粧剤を含む組成物は静電噴霧し得るものでなければならない。ということは、システムのパラメーター、例えば、組成物の流速、粘度及び印加される電圧の調節に加えて、組成物が静電噴霧を可能にする適切な電気特性、特に抵抗率を有していなければならないことを意味する。開示されている抵抗率は、約104〜約1012ohm cmの範囲、より好ましくは約106〜1010ohm cmの範囲である。この基準を満たすために、好ましい組成物は実質的に非水性であるか又は極く少量、例えば10重量％未満の水を含む。というのは、低抵抗率成分（つまり、主として水）の割合を最低に保つことにより、より絶縁性の高い溶媒及び化粧剤含有組成物の全体的な電気特性を決定すべく存在する他の材料の抵抗特性をより高くすることができるからである。
当該分野における上記の見識を考慮するに当たり発生する一つの問題は、静電噴霧が従来技術の個人向け製品の噴霧システムに係わる問題の大部分を解決するように見えるものの、個人向け製品配合物には、その組成物、特に化粧品活性系用の溶媒及び担体／ビヒクルのような主要成分の含量の点でかなりの制限が課されるということである。特に、従来技術の教示に従って満足すべき噴霧を行うために好適な高い抵抗率を得るためには、静電噴霧が可能な組成物は依然として非水性成分を主要な割合で含有していなければならず、それによって、慣用エアゾールが有する利点、例えば、価格面、環境的に無害且つ許容可能であること、及び使用者にとって感覚的に魅力があることをある程度犠牲にしなければならない。
EP-A-0501725号（その開示が本明細書に参考文献として組み込まれている）には、例えば、種々の個人向けケア製品に一般的に用いられている、水性、アルコール性又は水性／アルコール性ベース液のような「低抵抗率」液と定義されているものの静電噴霧が開示されている。「低抵抗率」とは、107〜104ohm cmの範囲の抵抗率を意味し、該文献の開示及び教示はこの範囲の抵抗率に限定されている。該文献に開示されている発明は、当該分野における従来の見識に反して、そのような比較的低い抵抗率を有する液体が実際に静電手段によって噴霧され、微細な霧の噴霧（例えば、150μm以下の液滴サイズを有する）を生成し得るという発見にある。一般に個人向け製品に要求されるような実用流速では、約107ohm cm未満の抵抗率を有する液体を用いて満足すべき且つ十分微細な噴霧（適切な感覚的許容可能性レベルであると考えられるもの）を生成することは以前には不可能であった。しかし開示されている上記発明により、この問題は噴霧ノズルの特殊な構造及び設計を用いることにより解決される。該噴霧ノズルは開口を含んでおり、該開口から組成物が先ずリガメントの形態で出現し、次いで液滴の微細な霧に分裂する。
水性液の静電噴霧に言及している他の参考文献にはEP-A-0152446号があり、該文献は、以前には油性ベースの配合物を用いた場合にのみ達成可能であったような、リガメントモードの静電噴霧下に特定の水性液を申し分なく噴霧し得る噴霧ヘッドの特殊構造に関する。開示されている噴霧に好適な液体には蒸留水及びアルコールが含まれており、104ohm cmという極く低い抵抗率（但し、スプリアスな抵抗率の低限は50ohm cmであるが、これは農業用化学物質又はコーティング組成物関係の場合のみである）が言及されている。
特定的にEP-A-0152446号に示されている従来技術に基づくEP-A-0501725号を考慮してみると、これらの参考文献はいずれも104ohm cm未満の抵抗率を有する個人向けケア液の実用静電噴霧を予見してはいないことが明らかである。
さらに、EP-A-0152446号に開示されている噴霧ヘッドの構造は、高電圧静電ショックからの安全性並びに装置の鋭角又はとがった部品が有する物理的危険及び美学的な理由から個人向けの小規模な使用には不適である。
低抵抗率の液体、特に極めて低い抵抗率を有する化粧剤含有組成物の静電噴霧適性を広範囲に研究している間に、驚くべきことには、当該分野、特にEP-A-0501725号でそれまで認められていたものよりかなり粗い液滴サイズ（例えば、約300μm以上までもの）を有する噴霧によっても極めて満足すべき感覚結果が得られ得ることが見いだされた。この観察の重要性は、美学的に満足すべき結果を与える方法により実用流速で個人向け製品配合物を静電噴霧するために、慣用のノズル設計を用いても、EP-A-0501725号の場合に示唆されているような、必ずしも最低の抵抗率を有する組成物には強制されないことにある。この新たな認識に鑑み、最も驚くべきことには、極めて低い、即ち、約104ohm cm未満の抵抗率を有する化粧剤含有組成物を美学的に満足すべき結果をもって実際に静電噴霧することが可能であることがさらに見いだされた。
そのような極めて低い抵抗率を有する液体に関して、当該分野で首尾よく噴霧するのに有害であり得ることが知られている一つの問題は、該液体が比較的高い導電率を有していることであり、それによって、コロナ放電という問題（実質的にも使用者に対する安全性の点からも）が発生し得る。さらにこれは、噴霧ノズルから身体の標的表面までの噴霧液滴上の電荷の移動の点で特に重要であることも見いだされた。液体の導電率が増大するにつれ、噴霧器具と標的間の電荷の移動量及び／又は移動速度、即ち電流も増大し、そのために、標的が過充電され、それによって使用者に電気ショックを与える恐れがある。これが望ましくないことは勿論である。さらに、研究を続ける間に、極めて低い抵抗率を有する液体を噴霧することが重大な実際的問題であるように思われるにも拘わらず、実際には、印加される電圧と噴霧される組成物の電気特性を含むシステムパラメーターの最適な組み合わせを、噴霧器具と標的表面の間の電流を安全限度内に調節して電気ショックの可能性を最小限にし得る「安全窓」内の範囲に限定し得ることも見いだされた。
従って上記の発見に基づき、約104ohm cm以下の抵抗率を有する比較的導電性の化粧品組成物を静電噴霧することにより化粧剤を身体に首尾よく且つ安全に送出し得ることが見いだされた。そのような組成物は、例えば、実質的に水性、アルコール性又は水性／アルコール性であることが多く、該組成物により、個人向け製品の静電噴霧が有する上記の感覚的且つ環境的な利点を保持しながら、より簡単且つ安価な技術が生み出され、さらに、個人向け製品の噴霧技術において化粧品活性系及び福次成分の選択及び組み合わせがより自由になる。
発明の要旨
従って、本発明は第１の側面において、化粧剤を含み、約104ohm cm未満の抵抗率を有する化粧品組成物を身体に静電噴霧することを含む、化粧剤を身体に送出する方法を提供する。
より詳細に言えば、本発明のこの側面の方法は、
（ａ）（ｉ）化粧剤を含み、約104ohm cm未満の抵抗率を有する静電噴霧性化粧品組成物を含有するタンク；
（ii）該タンクと連通する少なくとも一つの送出手段；
（iii）電源から給電される高電圧発生機；
（iv）該発生機から送出手段に高電圧を選択的に印加するための調節手段
を含む器具を用意する段階、及び
（ｂ）前記調節手段を作動させて、送出手段から身体の標的部位に化粧品組成物を静電噴霧する段階
からなるのが好ましい。
本発明は第２の側面で、
（ａ）化粧剤を含み、104ohm cm未満の抵抗率を有する静電噴霧性化粧品組成物を含有するタンク；
（ｂ）該タンクと連通する少なくとも一つの送出手段；
（ｃ）電源から給電される高電圧発生機；
（ｄ）該発生機から送出手段に選択的に高電圧を印加して、送出手段から化粧品組成物を静電噴霧するための調節手段を含む、身体に化粧剤を送出するための器具を提供する。
本発明の上記の側面の実用実施態様においては、少なくとも噴霧される組成物の電気特性、印加される高電圧の大きさ及び送出手段（単一又は複数の送出手段）からの組成物の流速の組み合わせは、送出手段と身体の標的部位の間の電流が身体とアースの間で電気ショックを発生させるには不十分である程度のものであるのが特に好ましい。
発明の詳細な説明及び好ましい実施態様
本発明の種々の側面及び特にその代表的な実施態様を詳細に説明する。
「身体」という用語は、本明細書に用いられている場合、毛髪及び皮膚の両方を含むように意図されている。本発明は、皮膚に関しては、洗浄、コンディショニングなど又は通常視覚、臭覚、触覚若しくは感触により認識されるもののような１つ以上の化粧上若しくは感覚的な利点を提供する化粧剤の送出に有用であるが、本発明はさらに、例えば、洗浄、コンディショニング、スタイリング又は他の化粧用若しく医薬用（例えば、ふけ止め）トリートメントのための毛髪及び／又は頭皮への化粧剤の送出にも有用である。
本発明により、従来技術におけるほど限定された限界内で注意深く抵抗率を調節する必要なしに化粧品組成物を静電噴霧し得るので、化粧品組成物の種々の成分の配合及び集合的な電気特性はさして重要ではなく、これまで優先して考慮する必要があった組成物の全体的な電気特性のみに力点を置くよりはむしろ、慣用基準、例えば、化粧品上及び感覚的な利点、製品の安定性、効率などの点で個人向け製品の配合を極めて自由に行うことが可能になる。従って、本発明の化粧品組成物においては、静電手段による個人向け製品液の噴霧に、これまでよりもかなり高い柔軟性をもって、多岐にわたる化粧品活性系、溶媒、担体など、及び種々の添加物を用いることが可能である。
本発明は約104ohm cm未満の抵抗率を有する化粧品組成物に限定され、且つこの抵抗率は蒸留水の抵抗率（25℃での）より低いのが特徴で、本発明の好ましい実施態様においては、噴霧される化粧品組成物は（好ましくは）液体組成物の抵抗率を104ohm cm以下に低減させる１種以上の電荷種、例えば、イオン種を含んでいる。組成物の抵抗率は、例えば、101ohm cm程度の低さ、又はそれ以下のものであってもよいが、所定のシステムで噴霧される所定の組成物について最も好適な抵抗率は一般に、他のシステムパラメーター、例えば、電圧及び流速によるであろう。
本発明の組成物中に存在する電荷種は、身体に送出したい化粧品活性系自体であっても、又はその代わりに以下に記載されるような、組成物に所望の導電性及び／又は他の電気特性を付与するために含まれる添加物であってもよい。
化粧品成分の商業生産においては、自分自身である程度純粋な物質の抵抗率を改変し得る塩及び金属のような不純物が少量存在してよい。従って、本発明の化粧品組成物の抵抗率を変えるために添加物を任意に添加することを考慮に入れるのが好ましい。
本発明の組成物に含まれてよく且つ抵抗率の改変に必ずしも他の電荷種の存在を必要とせずに組成物に所望の抵抗率を付与するに十分な電荷を帯電させ得る化粧品活性系の例としては、下記のものがある：
１．発汗防止活性系、例えば、アルミニウム塩
２．抗微生物／抗菌剤、例えば、亜鉛塩
３．イオン性ふけ止め剤、例えば、亜鉛ピリジンチオン
４．イオン性ポリマー、例えば、ヘアーレジン（hair resin）
５．例えば衛生用若しくは消臭用の個人向け製品に有用な他の電荷種。
本発明の組成物に含まれてよく、且つ組成物の抵抗率を所望のレベルに調整するために助剤成分の存在を必要とするか又はしない適当な電荷活性系の他の例は、組成物が組み込まれる組成物環境において特性的に帯電した（正若しくは負、又は双性のイオンの形態の）皮膚又は毛髪に有益な物質である。そのような物質の例としては、第４級アンモニウム化合物、例えば、第４級シリコーン、分解タンパク質並びに特定の天然物質、例えば、ガム、スターチ及びその誘導体がある。
本発明により静電噴霧して送出するための化粧品組成物に用い得る代表的な化粧品活性系を以下にリストする。列記されているこれら活性系の多くは、組成物の抵抗率を所望のレベルに調整するための１種以上の助剤成分の存在を必要とすると思われる。しかし、任意の所定の活性系については、該活性系が組み込まれる組成物内環境は、特に存在する他の成分及びいずれかの溶媒若しくは担体に関して、組成物が噴霧用に供給されるときにどの程度帯電するかに影響を与えることが多いので、活性系に、必要なら、本発明に従って組成物に所望の抵抗率を付与するのに適当な量の１種以上の抵抗率調整物質を組み合わせるのは、当業者には単に観察及び／又は実験の問題に過ぎない。
１．強力な活性系（即ち、慣用的に極めて少量で用いられるもの、例えば、香料、精油）；
２．皮膚及び毛髪湿潤剤、例えば、２−ヒドロキシアルカン酸、及びその酸性セッケン錯体、グリセロール及びグリコールのようなポリオール、２−ピロリドン−５−カルボン酸、並びに他の皮膚軟化剤又は保湿剤；
３．吸蔵物質、例えば、吸蔵油；
４．遮光性物質、例えば、サンスクリーン、特に紫外吸収サンスクリーン；
５．アフターサンケア（after-sun care）物質、例えば、サンバーントリートメント用物質；
６．スキンコンディショニング剤、例えば、皮膚をスムーズ且つ柔らかくする薬剤；
７．スキンカラーリング剤、例えば、ジヒドロキシアセトン（ＤＨＡ）を含有する組成物のような人工日焼け製品；
８．抗菌又は抗真菌物質；
９．駆虫剤；
10．収斂性物質、例えば、加水分解性タンニン、タンニン会合フェノール酸、タンニン会合フェノール類、フラボノイド化合物、収斂性を与える天然エキス、有機収斂剤及び無機収斂剤〔特にアルミニウム、亜鉛、鉄（III）、銅又は銀の塩〕；
11．皮膚洗浄剤及びメイクアップ又は他の化粧品リムーバー；
12．マッサージオイル；
13．皮膚栄養剤及び皮膚治癒剤、例えば、リップクリーム；
14．斑点及び皮膚のきずの治療用物質、例えば、いぼ取り剤；
15．皮膚の漂白剤及び色素沈着障害、例えば、そばかすの治療用剤；
16．防腐剤及び消毒剤
17．例えば、しわのトリートメント及びしわ予防用の老化防止剤；
18．敏感肌用のトリートメント剤；
19．例えば、アニオン性、カチオン性及び両性界面活性剤、双性及び非イオン性界面活性剤並びにそれらの混合物から選択される界面活性剤；
20．ヘアコンディショニング剤、即ち、柔らかさ、なめらかさ、光沢、まとまり、乾燥及び／又は濡れた状態でのくし通りのよさといった１種以上の視覚的又は触覚的な利点を付与する物質、例えば、カチオン界面活性剤、カチオンポリマー、揮発性及び／又は非揮発性シリコーン若しくはその誘導体、少なくとも１個の長鎖のアルキル若しくはアルケニル基を有する第４級アンモニウム塩、タンパク水解物、４級化タンパク水解物、ペルフルオロポリエーテル物質、脂肪アルコール並びにそれらの混合物；
21．ヘアスタイリング剤、即ち、髪にはりを与え、髪にスタイルを長持ちさせるような感じを与える物質、例えば、種々のポリマー、ガム及び樹脂、例えば、ペルアルキル（ペルアルキニル）炭化水素物質のような接着性及び／又は樹脂性炭化水素物質、シリコーン／シロキサンガム若しくは樹脂、ろう、キトサン及び誘導体、その塩及び錯体、並びにそれらの混合物；
22．ヘアストレイトニング剤；
23．ヘアカラー及びヘアダイ；
24．ふけ止め剤、例えば、亜鉛ピリジンチオン、Octopirox、Climbazole、Glycamil；
25．育毛剤又は毛髪成長調節剤、例えば、ジアシルグリセロール、グルカロラクタム、グルカロラクトン、Minoxidol；
26．光沢及び／又は不透明化物質；
27．油類、例えば、シリコーン油、オレイン酸、炭化水素、イソプロピルミリステート、オレイルアルコール、オレエート、スクアレン、ヒマワリ種子油、ナタネ油、他の植物由来の油、鉱物油；
28．タンパク質、ビタミン類、栄養剤、興奮剤、アンチラジカル剤、収斂剤；
29．ハーブ又は他の植物エキス、精油など；
30．化粧品組成物に一般的に用いられている他の添加物、例えば、緩衝剤及び／又はｐＨ調節剤、香料、着色剤、保存料、タンパク質など。
31．化粧用ファウンデーション物質、例えば、クリーム又は他の組成物；
32．化粧用マスク処方物；
33．皮膚着色化粧品、例えば、ほお紅；
34．アイ化粧品、例えば、アイシャドウ；
35．ファンメイクアップ物質；
36．リップカラリング物質及びつや出し；
37．着色ポリマー及びろう；
38．アイライナー、マスカラなどのようなアイ化粧品；
39．ネイルカラー、ポリッシャー、マニキュア、硬化剤、保護剤など。
必要な場合に、本発明の組成物の抵抗率を所望のレベルに低減するために該組成物中に化粧品活性系と組み合わせて用い得る助剤成分には、電荷種、好ましくはイオン性の電荷種、例えば、塩が含まれる。適当な塩の例としては、塩化ナトリウム、塩化カリウム、塩化アンモニウム、これらのカチオンの硫酸塩及び公知の化粧品組成物にしばしば用いられている他の塩が挙げられる。そのような抵抗率調整成分の適当な量は一般に、抵抗率が調整される程度に応じて決められるであろうし、当業者が観察又は実験を行うだけで容易に決定されよう。
本発明に従って静電噴霧される化粧品組成物は、送出される化粧剤用の１種以上の溶媒又はビヒクル／担体が主要な割合を占めるのが好ましい。特に活性系が電荷／イオン性である場合、組成物は１種以上の溶媒中の活性系溶液の形態であるのが好ましい。本発明の組成物は、80重量％以上の溶媒を含むのが好ましく、90重量％以上であればなお好ましく、95重量％を上回る溶媒を含むのがさらに好ましい。
好ましい溶媒は、水、例えば、蒸留水であるか、又は脱イオン水（但し、本来脱イオン水は蒸留水より導電性が低い）であってもよい。単独若しくは溶媒同志の混合物又は水と組み合わせて用い得る他の適当な溶媒には、アルコール、特にエタノールのような低級アルコールだけでなく、ポリオール類及び特定のエステル類、例えば、イソプロピルアルコール、プロピレングリコール、ジプロピレングリコール、フェニルエチルアルコール、グリセロール、１，３−ブタンジオール、１，２−プロパンジオール、イソプレングリコール、ジエチルフタレートも含まれる。
従って、広義に言えば、本発明に従って静電噴霧により送出するのに好適な好ましい比較的導電性の化粧品組成物は、下記のいずれかを含む：
−水中の無機又は有機塩
−水／エタノール混合物中の無機又は有機塩
−発汗防止溶液
−エタノール及び／又は水中のポリマー
−ふけ止め又は育毛組成物
−酵素溶液
−殺菌溶液
−上記の系のいずれかの混合物。
満足すべき感覚結果をもって静電噴霧し得ることが見いだされたこれらの比較的導電性の化粧品組成物群の特定の例を後述する実施例に示す。
抵抗率は組成物を確実に静電噴霧性にするのに重要であり、事実それらの組成物を本発明の範囲内に限定しはするが、特定の場合に選択又は調整するのが望ましい他の特性はイオン強度である。これは、化粧品活性系若しくは抵抗率調整物質のいずれかとして又はその両方として１種以上のイオン種を含有する化粧品組成物の場合に特にあてはまる。電解質溶液の場合には、イオン強度Ｉは次式：
0003945815.tif 000002
〔式中、ｚはイオン種ｉの結合価であり、ｍはそのモル濃度である〕
により得られ、加重は溶液中の全ての異なるイオン種ｉにわたって継続される。
イオン強度は組成物中のイオン種の結合価及び濃度に応じて変化するが、抵抗率は主として電荷種の移動度に応じて変化するので、イオン強度は、イオン種の場合には、静電噴霧器具の送出手段と身体の噴霧標的部位の間の電荷移動量又は移動速度の決定に重要であり得る一つのパラメーター（例えば、所定の流速についての）であろう。既に述べたように、本発明の噴霧システムの特に好ましい特性は、該器具と身体の噴霧標的との間の電流の流れ、従って、電気ショック発生傾向が制限的に抑制されることである。従って、このために噴霧される組成物のイオン強度並びに噴霧システムの他のパラメーター（本明細書に記載されているような）の選択及び／又は調整が、消費者の許容可能性及び噴霧システムの安全性を達成するために必要となるであろう。
本発明に使用するための組成物のイオン強度に厳格な数値限定を設定することは、器具と標的の間の電荷の移動速度にも影響を与えるシステムの他のパラメーターの可変性、並びに組成物中に含まれていてよい電荷種及び非電荷種両成分の広範な多様性のために困難である。しかし一般に適当なイオン強度は、所定の噴霧システムに関する経験及び／又は試行錯誤により容易に決定し得るものであり、これは当業者には容易に理解されよう。
多様な粘度を有する組成物が本発明における使用に好適であり得るが、粘度は（25℃で）、約0.1〜約5000mPasの範囲が適当であり、約0.1〜約1000mPasの範囲が好ましく、約0.5〜約500mPasの範囲であればさらに好ましい。所望又は必要なら、１種以上の粘度調整剤を添加してよい。そのような薬剤の例は当該分野において周知であり、塩、例えば、アルカリ金属又はアンモニウムハロゲン化物、ポリマー、例えば、ヘテロ多糖類ガム、慣用の増粘物質、例えば、粘土、増粘シリカ及び特定のセルロース誘導体、並びに油及び極性油増粘剤、例えば、化粧用油、ろう、グリセリド及び例えば＞20℃という融点を有する適当な両親媒性物が含まれる。
本発明の器具及び方法の好ましい実施態様において、電源から高電圧発生機により発生される好ましい電圧は、約３〜約20キロボルトの範囲であり、約４〜約12キロボルトであればなお好ましい。これまで当該分野においては組成物の抵抗率が低ければ低いほど十分微細な液滴サイズで満足すべき噴霧を得るにはより高い電圧を必要とすることが一般常識であったことを考えれば、比較的導電性の組成物、即ち、約104ohm cm未満の抵抗率を有する組成物を噴霧する本発明において、そのような好ましい比較的低い電圧を用いて首尾よく噴霧し得ることは驚くべきことであることがわかった。
既に述べたように、これまで認められていたものより粗い液滴サイズの噴霧で極めて適切且つ多くの場合に感覚的に満足できる感覚結果を得ることが可能であり、従って、比較的導電性の液体を比較的低い電圧で噴霧する能力は噴霧器具のサイズ及び価格並びにその安全性の点で特に有利であることが見いだされた。しかし本発明は、比較的粗い液滴サイズを有する組成物の噴霧に限定されるものではなく、当該製品及び噴霧システムの構造上及び操作上の他のパラメーターに適切な全ての液滴サイズ（比較的微細な噴霧、例えば、約20〜40以下という小ささの液滴サイズでもよい）を有する噴霧を包含する。しかし本発明の好ましい実施態様において、静電噴霧の平均粒度は呼吸し得る分画の生成を防止又は最小限にするに十分な程大きく、このことは、潜在的に有害又は望ましくないそのような組成物の成分の吸収を回避すべきである化粧品システムにおいてはしばしば重要である。本発明において生成される噴霧の液滴は少なくとも約50μmの平均粒度を有しているのが好ましく、少なくとも約60μmか70μmであればより好ましい。本発明の多くの実用実施態様においては、約400μmまでの平均粒度でもかまわないが、一般に約300か350μmまでの粒度がより好ましい。液滴サイズが大きすぎると、噴霧にかなり「湿った」感触を与える傾向があり、それによって、ある種の化粧品に適用するための噴霧の液滴サイズには実際的に上限を設定する必要があるであろう。しかし本発明において最も好ましいのは、約50〜約150か200μmまでの範囲の平均液滴サイズを有する噴霧である。
本発明の噴霧の平均液滴サイズは、当該分野において公知の方法、主としてシステムの操作パラメーターの適切な選択、特に送出手段を通る組成物の流速と印加される電圧の適切な組み合わせに従って選択又は調節してよい。送出手段からのアウトプットを供給するノズルのサイズも、所望の平均噴霧液滴サイズを最適化するための他のパラメーターに適切であるように選択してよい。この点で、上記のEP-A-0523964号の開示は本発明のシステムに関連しており、該特許文献の開示は本明細書に参考文献として組み込まれている。
実際、印加電圧は本発明の噴霧システムの他のパラメーターであり、イオン強度と同様、噴霧器具と身体の標的部位との間の電荷の移動量又は移動速度を調節するために選択又は調整してよい。一般により高い電圧が印加されると、より多くの物質が標的に送出されることになり、従って、所定の組成物および噴霧器具について、印加電圧は通常、標的に対して必要又は所望の電荷移動量又は移動速度を得るために有用であるように調節又は調整してよく、それによって、電気ショックを招く不要且つ潜在的に有害な電荷の蓄積が回避される。イオン強度と同様に、上記のガイドライン限度内の適当な電圧は、噴霧システムの他のパラメーター及び特性に応じ、当業者の経験又は試行錯誤により最適化し得る。
本発明に使用するためのハードウエア並びに電気部品及び回路は任意の適当な構造及び設計のものであってよい。静電噴霧技術には、本発明に使用可能な多くの適当な器具の例が含まれており、そのような器具又はその特定の特徴についてのそのような開示を、単独で又は本発明の噴霧システムと組み合わせて適用してよい。
適当な静電噴霧ハードウエアの例には、上記のEP-A-0523964号に開示されているものが含まれる。添付図面の図１に一つの実施例を示す。
図１に概略的に示されている本発明の器具面での実施態様において、噴霧器具は、手動操作及び使用が容易で個人的な使用に適したポータブルユニットを構成するように、慣用のエアゾールスプレーと同様なサイズ、形状及び重量で構成されている。該器具は、長方形のハウジング１からなっており、該ハウジングは、例えばプラスチック材製で、その内部に器具の電気部品及び他のハードウエア部品を搭載する電気絶縁体であるのが好ましい。
器具の底部には、低電圧、例えば1.5〜２ボルト、特に９ボルトの慣用電池のようなバッテリー８が収容されており、バッテリーがそのような位置にあるために、交換を要する場合にバッテリーに手が届きやすくなる。数字６で示されているのが高電圧発生機であり、該発生機は、バッテリー８の電圧を低電圧から例えば約12〜18キロボルトの範囲の高電圧に変換するが、この変換は噴霧される化粧品組成物を静電噴霧の実施に必要な高電位に上げるのに必要とされる。高電圧発生機６の適当な部品は当該分野において周知であり、主として電圧の増力機能を果たすためのコイル又は変圧器からなる。所望又は必要なら、高電圧器具の安全性を増大させ且つ器具の使用中に望ましくないアースへの漏電を低減させるために、図１に７で示されているもののような電気絶縁材からなる種々の包装部品を具備してもよい。
バッテリー８と高電圧発生機６との間、及び高電圧発生機６と器具内の残りの電気部品との間を接続しているのは、器具の有効且つ満足すべき機能を確実にするために必要な全ての補助電気部品を含む１個以上の回路盤12である。そのような付加回路盤12は、例えば、ＤＣ／ＡＣ（又はその逆の）コンバーター、及び噴霧される組成物を送出する製品送出手段に印加される高電圧を調節するための電圧調整手段を含んでいてよい。
この好ましい実施態様においては、器具の上部領域に、それ自体個人向け製品及び噴霧器具の分野において公知となっている缶中袋型（bag-in-can）タンクであるタンク２が搭載されている。缶中袋型タンク２は低圧製品供給機構を構成し、該機構により、噴霧される組成物は高流速噴霧送出手段として装備されている器具のノズル14に供給される。
タンク２との流体の連絡は導管16を介してノズル14によって行われる。ノズル14は器具の高電圧電気回路に電気的に接続されており、そのためにノズル内の組成物は、静電力、従ってその静電噴霧下にノズルから放出されるに必要な高さに電位が上げられる。ノズル14は内部チャンバー17を含んでおり、該チャンバーはその内部の製品が静電力の影響下に出現するノズル先端の開口18内で終端している。所望又は必要なら、器具にタンク２からノズル14に所望の速度で組成物を転送するためのポンプ（図には示されていない）のような供給手段を備えてよい。このためには、典型的には約１〜４psiの範囲の正圧が適切である。
開口18の領域内にあるノズル14の構造は、噴霧特性と安全性の両面に関して最適化されたシステムを得るために他の噴霧パラメーターと関連させて変更及び選択してよい。
器具は、器具を使用していないときに器具の上部領域にあるノズル14及び他の傷つきやすい部品を物理的損傷又は汚染から保護するためのある種のキャップ30を具備していることが好ましい。
図１に11で概略的に示されているのは、選択的にユニットに電流を流してノズルに高電圧を印加し、ノズルから製品を静電噴霧するための調節手段を構成する手動トリガーである。望ましくない電圧の漏洩又は電気ショックのリスクを受け得る器具の他の構成部品と同様に、トリガー11はその応急処置が当該分野において公知であるそのような問題を最小限にするように構成且つ設置されるのが好ましい。
本発明のシステムの噴霧特性を最適化するために選択及び／又は調整し得る本発明の器具の他の特徴には、既に記載したものに加えて、例えば、製品送出手段又は該手段の領域内の電磁場強度、タンクと送出手段との間の噴霧製品の流速、送出手段自体のサイズと構造、並びにタンクと送出手段のアウトプットの間で用いられる全ての製品供給機構の構造及び特性が含まれる。これらの側面は先に引用した本出願人の先行出願に詳細に説明されており、ここではこれ以上説明しない。
以下の実施例により本発明を詳細に説明する。
実施例
以下にリストしたものは、比較的導電性であり且つ本発明の静電手段により身体（即ち、皮膚及び／又は毛髪）に送出され得る組成物の例である。適当な器具は上記のEP-A-0523964号に記載されているものである。
各実施例には、組成物の関連電気特性（測定可能な）が示されているが、本明細書に記載されているパラメーター内で、特に電気ショックのリスクを最小限にするように器具と身体の標的部位との間の電流の流れを制限することに関して噴霧システムを最適化するために、器具内の電源により発生される印加電圧並びに製品の流速を必要又は所望に応じて、但し一般的には本明細書に記載されている好ましい限度内に調整してよい。
実施例１
蒸留水中の塩
0003945815.tif 000003
実施例２
エタノール-水混合物＋塩
（１）水20％：エタノール80％中のNa2SO4 0.283g
Ｒ＝5.6×103cm  イオン強度＝0.06M
実施例３
エタノールベースの発汗防止剤
0003945815.tif 000004
（２）活性系として主に塩酸アルミニウムを含有する市販のSURE（商標）発汗防止剤
Ｒ＝2.4×102cm
実施例４
樹脂
（１）２−アミノ−２−メチル−１−プロパノールにより90％で中和されたカルボキシル化酢酸ビニルターポリマー
エタノール中27.5w/w% Ｒ＝5.27×103cm
エタノール中20w/w%   Ｒ＝4.5×103cm
エタノール中14w/w%   Ｒ＝4.9×103cm
エタノール中 5w/w%   Ｒ＝3.1×103cm
（２）ヘア噴霧用の揮発保留剤として用いられる両性アクリル樹脂
エタノール中14w/w%   Ｒ＝1.8×104cm
実施例５
ふけ止め溶液
活性系としてOctopiroxを含有する市販のALL CLEAR（商標）ふけ止めエブリデイシャンプー
Ｒ＝4.53×101cm
実施例６
育毛活性剤
0003945815.tif 000005
実施例７
酵素溶液
0003945815.tif 000006
実施例８
殺菌剤溶液
0003945815.tif 000007
比較実施例
一連の静電噴霧実験を行って、２種の組成物それぞれについて種々の化粧品感覚認識についての異なる噴霧属性特性を評価した。第１の組成物は、比較的高い抵抗率を有し、純粋なエタノールからなる「対照」組成物であり、第２の組成物は、比較的低い抵抗率を有し、塩化ナトリウム水溶液からなる本発明の「テスト」組成物である。
熟練したエキスパートらにより、以下の結果を表す表に示されているような11の属性のそれぞれについて、前腕の内側の皮膚に等量を噴霧して各組成物を評価した。静電噴霧のハードウエア及び操作システムのパラメーターは両組成物及び全ての実験について同一であり、且つ先行実施例に用いられたものと同様であった。
結果を以下の表に示す。引用されている数字は、各属性についての１から10までの数値尺度（10が最高）に基づく平均格付けである。
0003945815.tif 000008
上記の結果は、本発明の組成物の感覚結果が、従来技術の代表的なものであるエタノールと比べて、少なくとも同等であり、またいくつかの属性ではより優れていることを示している。
【図１】
0003945815.tif 000009